【手続補正書】
【提出日】平成17年4月6日(2005.4.6)
【手続補正１】
【補正対象書類名】明細書
【補正対象項目名】特許請求の範囲
【補正方法】変更
【補正の内容】
【特許請求の範囲】
【請求項１】
撮影装置の機種毎に固有の、撮影された映像を補正するための補正情報を管理する第１の情報処理装置、前記映像に前記補正情報を多重化して放送する第２の情報処理装置、および前記放送を受信する第３の情報処理装置から構成されるサービス提供システムにおいて、
前記第１の情報処理装置は、
前記補正情報を記憶する記憶手段と、
前記記憶手段により記憶されている前記補正情報を、前記第２の情報処理装置に送信する送信手段と
を備え、
前記第２の情報処理装置は、
前記第１の情報処理装置より、前記補正情報を受信する第１の受信手段と、
前記撮影装置により撮影された前記映像に、前記補正情報を多重化して放送する放送手段と
を備え、
前記第３の情報処理装置は、
前記第２の情報処理装置が放送する前記映像を受信する第２の受信手段と、
前記第２の受信手段により受信された前記映像に多重化されている前記補正情報により、前記映像を補正する補正手段と
を備えることを特徴とするサービス提供システム。
【請求項２】
撮影装置の機種毎に固有の、撮影された映像を補正するための補正情報を記憶する記憶手段と、
前記記憶手段により記憶されている前記補正情報を、第１の他の情報処理装置に送信する送信手段と
を備えることを特徴とする情報処理装置。
【請求項３】
前記撮影装置の個々を識別するための識別情報を発行する第１の発行手段と、
前記第１の発行手段により発行された前記識別情報を、前記撮影装置に記録する記録手段と
をさらに備えることを特徴とする請求項２に記載の情報処理装置。
【請求項４】
前記記憶手段は、前記補正情報と前記識別情報を対応付けて記憶する
ことを特徴とする請求項３に記載の情報処理装置。
【請求項５】
前記第１の他の情報処理装置より前記映像を受信する第２の他の情報処理装置に、前記補正情報により前記映像を補正することを許可するため鍵情報を発行する第２の発行手段をさらに備える
ことを特徴とする請求項３に記載の情報処理装置。
【請求項６】
前記記憶手段は、前記補正情報、前記識別情報、および前記鍵情報を対応付けて記憶する
ことを特徴とする請求項５に記載の情報処理装置。
【請求項７】
前記送信手段は、前記記憶手段により、前記補正情報と対応付けて記憶されている前記鍵情報を、前記補正情報とともに、前記第１の他の情報処理装置に送信する
ことを特徴とする請求項６に記載の情報処理装置。
【請求項８】
前記第１の他の情報処理装置より、前記補正情報の送信の要求を受信する受信手段をさらに備え、
前記送信手段は、前記受信手段により前記補正情報の送信の前記要求を受信した場合、前記第１の他の情報処理装置に、前記補正情報を送信する
ことを特徴とする請求項２に記載の情報処理装置。
【請求項９】
撮影装置の機種毎に固有の、撮影された映像を補正するための補正情報を記憶する記憶ステップと、
前記記憶ステップの処理により記憶されている前記補正情報を、他の情報処理装置に送信する送信ステップと
を含むことを特徴とする情報処理方法。
【請求項１０】
撮影装置の機種毎に固有の、撮影された映像を補正するための補正情報の記憶を制御する記憶制御ステップと、
前記記憶制御ステップの処理により記憶が制御されている前記補正情報の、他の情報処理装置への送信を制御する送信制御ステップと
を含むことを特徴とするコンピュータが読み取り可能なプログラムが記録されている記録媒体。
【請求項１１】
撮影装置の機種毎に固有の、撮影された映像を補正するための補正情報の記憶を制御する記憶制御ステップと、
前記記憶制御ステップの処理により記憶が制御されている前記補正情報の、他の情報処理装置への送信を制御する送信制御ステップと
をコンピュータに実行させるプログラム。
【請求項１２】
第１の他の情報処理装置より、撮影装置の機種毎に固有の、撮影された映像を補正するための補正情報を受信する受信手段と、
前記撮影装置により撮影された前記映像に、前記補正情報を多重化して放送する放送手段と
を備えることを特徴とする情報処理装置。
【請求項１３】
撮影装置の機種毎に固有の、撮影された映像を補正するための補正情報が、前記映像に多重化された放送を受信する情報処理装置において、
第１の他の情報処理装置が放送する前記映像を受信する受信手段と、
前記受信手段により受信された前記映像に多重化されている前記補正情報により、前記映像を補正する補正手段と
を備えることを特徴とする情報処理装置。
【請求項１４】
撮影装置の機種毎に固有の、撮影された映像を補正するための補正情報を、前記撮影装置を識別するための識別情報と対応付けて記憶する記憶手段と、
他の情報処理装置より、前記識別情報に対応する前記補正情報の送信の要求を受信する受信手段と、
前記受信手段により、前記要求が受信された場合、前記記憶手段により前記識別情報と対応付けて記憶されている前記補正情報を、前記他の情報処理装置に送信する送信手段と
を備えることを特徴とする情報処理装置。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】削除
【補正の内容】
【手続補正３２】
【補正対象書類名】明細書
【補正対象項目名】００５１
【補正方法】削除
【補正の内容】
【手続補正３３】
【補正対象書類名】明細書
【補正対象項目名】００５２
【補正方法】削除
【補正の内容】
【手続補正３４】
【補正対象書類名】明細書
【補正対象項目名】００５３
【補正方法】削除
【補正の内容】
【手続補正３５】
【補正対象書類名】明細書
【補正対象項目名】００５４
【補正方法】削除
【補正の内容】
【手続補正３６】
【補正対象書類名】明細書
【補正対象項目名】００５５
【補正方法】削除
【補正の内容】
【手続補正３７】
【補正対象書類名】明細書
【補正対象項目名】００５６
【補正方法】削除
【補正の内容】
【手続補正３８】
【補正対象書類名】明細書
【補正対象項目名】００５７
【補正方法】削除
【補正の内容】
【手続補正３９】
【補正対象書類名】明細書
【補正対象項目名】００５８
【補正方法】削除
【補正の内容】
【手続補正４０】
【補正対象書類名】明細書
【補正対象項目名】００５９
【補正方法】削除
【補正の内容】
【手続補正４１】
【補正対象書類名】明細書
【補正対象項目名】００６０
【補正方法】削除
【補正の内容】
【手続補正４２】
【補正対象書類名】明細書
【補正対象項目名】００６１
【補正方法】削除
【補正の内容】
【手続補正４３】
【補正対象書類名】明細書
【補正対象項目名】００６２
【補正方法】削除
【補正の内容】
【手続補正４４】
【補正対象書類名】明細書
【補正対象項目名】００６３
【補正方法】削除
【補正の内容】
【手続補正４５】
【補正対象書類名】明細書
【補正対象項目名】００６６
【補正方法】変更
【補正の内容】
【００６６】
本発明の第２の情報処理装置においては、第１の他の情報処理装置より、撮影装置の機種毎に固有の、撮影された映像を補正するための補正情報が受信され、撮影装置により撮影された映像に、補正情報が多重化されて放送される。
【手続補正４６】
【補正対象書類名】明細書
【補正対象項目名】００６７
【補正方法】変更
【補正の内容】
【００６７】
本発明の第３の情報処理装置においては、第１の他の情報処理装置が放送する映像が受信され、受信された映像に多重化されている補正情報により、映像が補正される。
【手続補正４７】
【補正対象書類名】明細書
【補正対象項目名】００６８
【補正方法】削除
【補正の内容】
【手続補正４８】
【補正対象書類名】明細書
【補正対象項目名】００６９
【補正方法】変更
【補正の内容】
【００６９】
本発明の第４の情報処理装置においては、撮影装置の機種毎に固有の、撮影された映像を補正するための補正情報が、撮影装置を識別するための識別情報と対応付けて記憶され、他の情報処理装置より、識別情報に対応する補正情報の送信の要求が受信され、要求が受信された場合、識別情報と対応付けて記憶されている補正情報が、他の情報処理装置に送信される。
【手続補正４９】
【補正対象書類名】明細書
【補正対象項目名】００７０
【補正方法】削除
【補正の内容】
【手続補正５０】
【補正対象書類名】明細書
【補正対象項目名】００７１
【補正方法】削除
【補正の内容】
【手続補正５１】
【補正対象書類名】明細書
【補正対象項目名】００７２
【補正方法】削除
【補正の内容】
【手続補正５２】
【補正対象書類名】明細書
【補正対象項目名】００７３
【補正方法】削除
【補正の内容】
【手続補正５３】
【補正対象書類名】明細書
【補正対象項目名】００７４
【補正方法】削除
【補正の内容】
【手続補正５４】
【補正対象書類名】明細書
【補正対象項目名】００７５
【補正方法】削除
【補正の内容】